(57)【特許請求の範囲】
【請求項１】
複数枚の用紙を積載する第１用紙収容部と、この第１用紙収容部から用紙を１枚ずつ給送する給紙手段と、前記第１用紙収容部に対して水平且つ並列に配設された第２用紙収容部と、この第２用紙収容部の用紙を前記第１用紙収容部へ一括して移送する用紙移送手段と、前記第１用紙収容部に収納された用紙を前記給紙手段によって繰り出す動作の継続中は前記第２用紙収容部のみ用紙移送方向と略直角に引き出すことが可能で前記動作中以外は前記第１用紙収容部と前記第２用紙収容部とが一体となって用紙移送方向と略直角に引き出すことが可能なロック機構とを設けた給紙装置において、
前記ロック機構が、互いに係脱する前記第１用紙収容部側のロック部と装置本体側のロック部とを有し、これらのロック部が係止することにより前記第１用紙収容部がその引出方向に位置決めされる位置決め構造及び前記第１用紙収容部にかかる引出方向の変位スライド力に抗する保持力を持つ構造を有し、かつ、これらのロック部の少なくとも一方を着脱自在としたことを特徴とする給紙装置。
【請求項２】
前記第１用紙収容部側の前記ロック部と装置本体側の前記ロック部とが共に耐衝撃性を有する材料により形成されていることを特徴とする請求項１記載の給紙装置。
【請求項３】
請求項１又は２記載の給紙装置と、
この給紙装置から給送される用紙に対して画像を形成する作像部と、
を備えたことを特徴とする画像形成装置。
【発明の詳細な説明】
【０００１】
【発明の属する技術分野】
本発明は、例えば、レーザプリンタ、複写機、ファクシミリ等の画像形成装置などに備えられた給紙装置、特にシート載置台上に載置されたシートがシート給送装置によって給送され尽くした時に、新たなシートの自動的な補給を可能とした給紙装置及び画像形成装置に関する。
【０００２】
【従来の技術】
シート給送ローラ等を用いて、シート載置台上に載置された大量のカットシートから１枚ずつ自動的に給送する給紙装置は、例えば、印刷機の印刷用紙、画像形成装置の転写紙等の給送において、極めて有効に利用されている。
【０００３】
ここに、カットシートを収容するトレイないしカセットに関しては、各種サイズのシートが同時に収容できることの他、各々の収容部の収容量が大きいことが操作上望ましいものである。しかしながら、一般に収容部の数が増すと、複写機本体が大型化するか、或いは本体の大きさを維持しようとすると、機械の高さ方向の制約から一段当たりの収容量が少なくなり、結果として頻繁な紙補給が必要となる。
【０００４】
また、１つの用紙収容部には、１回の収容について１種類のサイズの用紙しかセットできないため、特に小サイズの用紙をセットすると給紙側と反対側のスペースが全く役に立たないデットスペースとなっていた。
【０００５】
そこで、空間を有効に使い、紙補給の頻度を抑えるために、種々の提案がなされている。例えば、特開平３−１９５６３９号公報、特公昭５６−３３０１号公報、特公平１−５８０９１号公報等がある。これらの提案の技術は何れもカットシートを積載収容する載置台を並設することを基本とし、スペースを有効利用してコンパクトな給紙装置を提供し、機械の運転を無駄なく行えるようにしたものである。しかしながら、特開平３−１９５６３９号公報記載のシート給送装置や特公昭５６−３３０１号公報記載のシート補給装置は、何れも予備のシート載置台に載置のカットシートを本シート載置台に補給した後に、当該予備のシート載置台にカットシートを補給するに当たっては、機械動作の停止していることが必要である。給紙動作が連続している場合には、用紙補給を行うことができない。また、特公平１−５８０９１号公報記載の紙葉類の取出装置は、紙葉類を連続的に補給することが可能ではあるが、その補給動作を装置側面方向から行うことが前提になっており、例えば、画像形成装置のように、給紙装置が比較的低い位置にあるものは、その取り扱いが容易でない。
【０００６】
このようなことから、このような従来技術における不具合に鑑み、低コストで簡便な用紙の自動補給が可能であり、用紙給紙性能の向上を図り得る給紙装置が、特開平６−１４４６００号公報として本出願人により提案されている。この公報提案例は、複数枚の用紙を積載する第１用紙収容部と、この第１用紙収容部から用紙を１枚ずつ給送する給紙手段と、第１用紙収容部に対して水平且つ並列に配設された第２用紙収容部と、この第２用紙収容部の用紙を第１用紙収容部へ一括して移送する用紙移送手段と、第１用紙収容部に収納された用紙を給紙手段によって繰り出す動作の継続中は第２用紙収容部のみ用紙移送方向と略直角に引き出すことが可能で動作中以外は第１用紙収容部と第２用紙収容部とが一体となって用紙移送方向と略直角に引き出すことが可能なロック機構とを設けた給紙装置である。
【０００７】
これによれば、第１用紙収容部に収納された用紙を給紙手段によって繰り出す動作の継続中は第２用紙収容部のみ用紙移送方向と略直角に引き出すことが可能で前記動作中以外は第１用紙収容部と第２用紙収容部とが一体となって用紙移送方向と略直角に引き出すことが可能なロック機構が設けられているので、画像処理中の用紙補給が可能となり、エンドレス給紙が可能となる。また、第２用紙収容部のみ引き出すか、第１用紙収容部と第２用紙収容部とを一体で引き出すかを機械本体が自動的に選択するので、必要に応じたトレイの引き出しができる。
【０００８】
【発明が解決しようとする課題】
特開平６−１４４６００号公報提案例によれば、動作中以外の時には、第１用紙収容部が第２用紙収容部とともに一体で装置本体から引出自在である。この第１用紙収容部は、積載させた用紙が給紙手段により１枚ずつ給送されるものであり、装置本体に収納されている状態では第２用紙収容部が存在するか否かを問わず装置本体に対する位置決めが適正になされていないと、給紙手段による給紙を確実に行うことができず、シート搬送性能が損なわれてしまう。つまり、第１用紙収容部に関しては、装置本体に対する出し入れと位置決めとの両方を容易になし得るロック機構であることが要求される。
【０００９】
また、単独又は一体で出し入れされる第２用紙収容部に関しては、付勢手段を用いて収納状態にロックする構造のロック機構としており、装置本体に対して収納されている状態では第２用紙収容部には引出方向（収納方向）に何らかの付勢力が作用する。第１用紙収容部にとっても第２用紙収容部が収納されている場合にはこの付勢力が作用することとなるが、第２用紙収容部が存在しない場合にはこの付勢力が作用しないため、装置本体に対する第１用紙収容部のロック機構に作用する変位スライド力が状況により異なってしまうが、その場合でも、第１用紙収容部の位置が引き出し方向にあまり変動せずに所定の給紙位置に保持されている必要がある。
【００１０】
さらに、第１用紙収容部側と装置本体側とのロック機構に関して、状態としては大半が係止状態にあり、経時劣化を生じ得るが、経時劣化した場合に部品交換を容易に行うことができず、第１用紙収容部を長期にわたって所定の給紙位置に維持するのが困難となる場合がある。
【００１１】
また、単独引出可能な第２用紙収容部を再度装置本体内に収納セットする際に、第１用紙収容部に衝撃や振動を与えてしまう可能性がある。この際、第１用紙収容部は装置本体側に係止ロック状態にあり、そのロック部分にこの衝撃や振動が伝わるため、材料的に弱い方がダメージを受け損傷してしまうことがある。
【００１２】
本発明は、給紙手段と関連付けられる第１用紙収容部の装置本体に対する位置決めを簡単かつ確実に行うことができ、シート搬送性能を安定させ得る上に、経時劣化時の部品交換性を向上させることができる給紙装置及び画像形成装置を提供することを目的とする。
【００１３】
さらには、第１用紙収容部の装置本体に対するロック機構の耐久性を向上させ得る給紙装置及び画像形成装置を提供することを目的とする。
【００１４】
【課題を解決するための手段】
請求項１記載の発明は、複数枚の用紙を積載する第１用紙収容部と、この第１用紙収容部から用紙を１枚ずつ給送する給紙手段と、前記第１用紙収容部に対して水平且つ並列に配設された第２用紙収容部と、この第２用紙収容部の用紙を前記第１用紙収容部へ一括して移送する用紙移送手段と、前記第１用紙収容部に収納された用紙を前記給紙手段によって繰り出す動作の継続中は前記第２用紙収容部のみ用紙移送方向と略直角に引き出すことが可能で前記動作中以外は前記第１用紙収容部と前記第２用紙収容部とが一体となって用紙移送方向と略直角に引き出すことが可能なロック機構とを設けた給紙装置において、前記ロック機構が、互いに係脱する前記第１用紙収容部側のロック部と装置本体側のロック部とを有し、これらのロック部が係止することにより前記第１用紙収容部がその引出方向に位置決めされる位置決め構造及び前記第１用紙収容部にかかる引出方向の変位スライド力に抗する保持力を持つ構造を有し、かつ、これらのロック部の少なくとも一方を着脱自在とした。
【００１５】
従って、互いに係脱する第１用紙収容部側のロック部と装置本体側のロック部とが、引出方向に位置決めされる位置決め構造及び第１用紙収容部にかかる引出方向の変位スライド力に抗する保持力を持つ構造を有するので、装置本体に対する第１用紙収容部の位置決めが簡単な構成で確実に行える上に、第１用紙収容部側のロック部と装置本体側のロック部との少なくとも一方を着脱自在としたので、経時劣化時の部品交換を簡単に行うことができ、この部品交換によりシート搬送性能を維持させることができる。
【００１６】
請求項２記載の発明は、請求項１記載の給紙装置において、前記第１用紙収容部側の前記ロック部と装置本体側の前記ロック部とが共に耐衝撃性を有する材料により形成されている。
【００１７】
従って、第１用紙収容部と装置本体との間のロック機構の耐久性が向上し、経時劣化、損傷等による部品交換の可能性を減らすことができ、長期にわたってシート搬送性能を維持させることができる。
【００１８】
請求項３記載の発明の画像形成装置は、請求項１又は２記載の給紙装置と、この給紙装置から給送される用紙に対して画像を形成する作像部と、を備えている。
【００１９】
従って、シート搬送性能が長期にわたって安定した画像形成装置を提供できる。
【００２０】
【発明の実施の形態】
本発明の一実施の形態を図面に基づいて説明する。基本的な構成は前述した特開平６−１４４６００号公報に準ずる。まず、本実施の形態に係る給紙装置を備える複写機を示す図１において、複写機本体５０下部に、複数の給紙装置を内蔵する機台６０が設けられる。これらの複数の給紙装置は、機台６０内で、幅方向の長さがほぼ同一で、用紙を積載収容する用紙収容部として、垂直方向に複数段配設されている。
【００２１】
各用紙収容段は、用紙を１枚ずつ給送するための給紙手段を有する。給紙された用紙は、共通する縦搬送路を経由して、複写機本体５０下部の連接部より本体作像部へ送り込まれる。
【００２２】
以下、その複写機の給紙装置部分の正面及び平面からの詳細を各々示す図２及び図３に基づいて、機台６０内の１つの用紙収容部７０について詳細に説明する。
【００２３】
用紙を収容する用紙収容部は、第１用紙収容部１００と第２用紙収容部２００とによって構成され、各々が独立のトレイとして存在している。
【００２４】
第１用紙収容部１００は、スライドレール４００，６００によって支持され、用紙移送方向と直角な方向、図２では紙面手前方向に引出自在とされている。第２用紙収容部２００も、スライドレール５００，７００によって支持され、同様に、用紙移送方向と直角な方向に引出自在とされている。
【００２５】
第１用紙収容部１００の送り出し側に給紙手段としての給送装置３００が設けられる。ピックアップローラ３０１によって積載紙は圧接され、その最上位置にある用紙が第１用紙収容部１００から送り出され、分離ローラ３０２，３０３によって１枚ずつ確実にさばかれる。ペーパーエンド検出センサ３０４によって、第１用紙収容部１００の用紙の有無が検出される。
【００２６】
第１用紙収容部１００は、図３に示すように、積載紙を位置決めする向かい合った一対のサイドフェンス１０１ａ，１０１ｂ、用紙を載置する底板１０２及び積載紙後端を押さえるＬ字状のエンドフェンス１０５，１０６により構成されている。底板１０２の給送側と反対側は回動自在に支持されている。
【００２７】
エンドフェンス１０５，１０６は、各々サイドフェンス１０１ａ，１０１ｂに組み付けられており、特に図示しないが、エンドフェンス１０５の場合、エンドフェンスガイドとエンドフェンス本体との２部品で構成され、積載用紙サイズ毎に、エンドフェンス本体がエンドフェンスガイドに沿って移動し、取り付け位置を変えることで積載用紙に対する長さ方向のサイズ対応を行う。エンドフェンス１０６においても同様に構成されている。
【００２８】
このようなエンドフェンス１０５，１０６は、図２及び図３に示すようにステッピングモータ１０４により駆動され、ラック１０３ａ，１０３ｂとモータ１０４に取り付けられたピニオンのラック＆ピニオン機構により、図３の各ラックでの矢印方向に移動可能となっている。ホーム位置検知センサ１０８により、エンドフェンス１０５，１０６のホーム位置が決定される。また、図３において、底板１０２下方に、底板送り出し側を押圧してピックアップローラ３０１へ付勢させるための底板上昇装置１０が設けられている。
【００２９】
第１用紙収容部１００と第２用紙収容部２００とを一体化させるか、分割させるかは、第１ロック爪１０７の挙動によって決定され、それはロック爪駆動装置２０によって駆動される。
【００３０】
ロック爪駆動装置２０を概略的に示す図４において、ソレノイド２３に装置本体側のロック部としての第２ロック爪２２が揺動可能に取り付けられ、ソレノイド２３がＯＮ状態で、この第２ロック爪２２が矢印方向に回動し、装置本体と第１用紙収容部１００とをロックする構成となっている。また、第２ロック爪２２にかしめられたスタッド２５にアーム２１が連結されており、ソレノイド２３のＯＮ状態で、アーム２１はスタッド２６を支点として矢印方向に回動し、第１用紙収容部１００内の第１ロック爪１０７をねじりコイルバネ２８の作用に抗して支軸２７回りに回動させる。
【００３１】
第２用紙収容部２００は、図３に示すように、積載紙の側縁を位置決めする固定式の一対のサイドフェンス２０１ａ，２０１ｂ、後縁を位置決めするバックフェンス２０２、用紙を載置する底板２０９ａ，２０９ｂ，２０９ｃにより構成されている。第２用紙収容部２００内の積載紙の後縁及び略中央部を押圧して、当該積載紙を第１用紙収容部１００の方向に一括して移動させるために、バックフェンス２０２は、タイミングベルト２０５に結合されたスライダ２１０（図２参照）に取り付けられていて、積載用紙サイズに合わせて取り付け位置を変えるようになっている。
【００３２】
このタイミングベルト２０５は、一つの駆動プーリ２１１と３個の従動プーリ２１２に張設され、駆動プーリ２１１は、ＤＣモータ２０３によって正逆自在に回転駆動される。スライダ２１０には突出片２１０ａが設けられ（図３参照）当該突出片２１０ａが検知センサ２１３によって検出される位置をバックフェンス２０２のホーム位置とする。これらのバックフェンス２０２の移動のための装置部材は、底板２０９ａ，２０９ｂ，２０９ｃの下方に設置されており、用紙に当接するバックフェンス２０２の押圧部分は底板１０２より上に直立している。
【００３３】
用紙を押圧移動させ、押しつけ検知センサ２１４によってスライダ突出片２１０ａが検出された位置で用紙移送は停止し、バックフェンス２０２は、即、後退を始めるようになっている。
【００３４】
一対のサイドフェンス２０１ａ，２０１ｂの用紙送り出し側には、用紙先端を位置決めするための可撓性の位置決め板２０４ａ，２０４ｂが各々固着されている。これらの位置決め板２０４ａ，２０４ｂは、用紙が押圧されて所定位置から送り出されると、容易に変形する。
【００３５】
図３において、検知センサ２１５によって、第２用紙収容部２００の用紙の有無が検知される。
【００３６】
図５に、第１用紙収容部１００及び第２用紙収容部２００の外形を概略的に示す。第１用紙収容部１００及び第２用紙収容部２００には図１に示した機械本体正面からみて手前方向に各々用紙収容部１００，２００を引き出すための把手部が設けられており、第２用紙収容部２００が単独で引き出されない限り、第１用紙収容部１００は外部から確認されない。第１用紙収容部１００には、図６に示すように、横レジスト調整機構が設けてられている。横レジスト調整部材１１０は、長孔１１０ａとねじ１２１との取り付けで用紙移送方向に直交する方向の位置が調整可能とされている。この横レジスト調整部材１１０は、図３からも分かるように、機械本体に固着された前側板３０に当接し、第１用紙収容部１００の用紙移送方向に直角な方向、即ち、奥行き方向の位置決めを行う。
【００３７】
次に、本給紙装置の動作を簡単に説明する。画像形成処理中に、第１用紙収容部１００内の用紙が消費され尽くすと、空になったことが、ペーパーエンド検知センサ３０４により検出され、処理作業は一時中断される。図示しないＣＰＵ等の指令により、底板上昇装置１０が作動し、底板２０２を下降させ、加圧板（図示せず）に設けられた突出片（図示せず）が底板下降検知センサ１０９によって検出されると、底板上昇装置１０は作動を中止する。
【００３８】
この下降検知センサ１０９での検知後、第１用紙収容部１００内の用紙の後端を支持していたエンドフェンス１０５，１０６は、ステッピングモータ１０４駆動によって、ラック＆ピニオンの方式で、図３に点線で示すように、用紙移送区域から退避する。
【００３９】
ラック１０３ａ角折れ部がエンドフェンスホーム位置検知センサ１０８によって検出されると、ステッピングモータ１０４は停止し、エンドフェンス１０５，１０６が正規ホーム位置に位置することとなる。
【００４０】
一方、第２用紙収容部２００内の用紙が空の状態が用紙有無検知センサ２１５によって検出されると、本体操作部に、「用紙無し」の表示をし、用紙補給メッセージを表わす。
【００４１】
また、第２用紙収容部２００内に用紙があることが用紙有無検知センサ２１５によって確認されると、第１用紙収容部１００が用紙切れの際には、用紙移送用ＤＣモータ２０３が駆動し、タイミングベルト２０５を介してスライダ２１０にその駆動が伝達される。
【００４２】
スライダ２１０に固着された押圧板２０２は、第２用紙収容部２００に載置された用紙の後端を押圧して、第２用紙収容部２００から第１用紙収容部１００へ用紙を移送する。用紙移送終了時は、押しつけ検知センサ２１４でスライダに設けられた突出片２１０ａが検出されることで知られ、用紙移送の駆動源（ＤＣモータ２０３）を自動的に停止させ、即、逆転させることにより、押圧板２０２をホーム位置に移動させる。
【００４３】
押しつけ検知センサ２１４の検知によって用紙移送の終了が確認されると、用紙移送区域から退避して、ホーム位置に存在していた一対のエンドフェンス１０５，１０６は、第１用紙収容部１００内で移送後の用紙後端を支持するように、ステッピングモータ１０４によって駆動され、規定のパルス数移動して停止する。
【００４４】
そして、再び、底板上昇装置１０が作動し、加圧板１５により底板１０２を、給送側を持ち上げるように回転上昇させる。
【００４５】
このような底板１０２の持ち上がりによって、第１用紙収容部１００内の積載紙が上方向へ付勢され、ピックアップローラ３０１にその最上紙が当接し、付勢上限位置を規定する図示しない高さ検知センサによって上限位置が検出されると、底板上昇装置は停止し、画像形成処理作業が開始される。
【００４６】
一方、ホーム位置に後退移動中の第２用紙収容部２００の押圧板２０２は、ホーム位置検知センサ２１３に検出された後、停止する。
【００４７】
次にロック爪駆動装置２０の動作を説明する。前述した画像処理中にあっては、ソレノイド２３はＯＮの状態で、第２ロック爪２２は図７に示すように、第１用紙収容部１００をロックし、この第１用紙収容部１００を本体から引き出せないようにする。また、第２ロック爪２２にリンクしたアーム２１が第１用紙収容部１００に設けられた第１ロック爪１０７の後端を押圧して、支軸２７を支点として、第１ロック爪１０７を回転運動させ、第１用紙収容部１００と第２用紙収容部２００とを一体化せず、分割状態にする。よって、この時、トレイを引き出すと、第２用紙収容部２００のみ引き出すことができる。つまり、画像処理中には、第２用紙収容部２００のみ引き出し可能で、第２用紙収容部２００に用紙を補給することができる。
【００４８】
また、画像処理中以外は、ソレノイド２３はＯＦＦの状態であって、第２ロック爪２２は上昇して、第１用紙収容部１００のロックを解除する。第２ロック爪２２にリンクしたアーム２１は、第１ロック爪１０７の後端の押圧を解除して、第１ロック爪１０７はねじりコイルバネ２８の戻し力によって、図８に示すように、第２収容部２００をロックし、第１用紙収容部１００と第２用紙収容部２００とを一体化する。よって、第１用紙収容部１００と第２用紙収容部２００とは一体で引き出すことが可能で、仮に用紙移送中にトレイを引き出しても、用紙及び用紙移送機構に破損を与えない。
【００４９】
第２用紙収容部２００のみ引き出して用紙を補給中に、ジャム等が発生して、機械が停止した場合、ソレノイド２３は自動的にＯＦＦ状態となり、第１用紙収容部１００のロックを解除する。従って、第１用紙収容部１００に設けられた把手部を持って、第１用紙収容部１００を引き出すことが可能となる。
【００５０】
このような構成及び作用の下、本実施の形態では、図７に示すように、第２ロック爪２２が係脱するロック保持部材１３０が第１用紙収容部１００側に設けられている。ここに、第２ロック爪２２の先端係止部とロック保持部材１３０の上端係止部とには、ラック状の歯形部２２ａ，１３０ａが第１用紙収容部１００の引出方向（前後方向）に向けて形成されている。これらの歯形部２２ａ，１３０ａの歯のピッチは、ほぼ同一の微小ピッチ（２ｍｍ以下）に設定されており、第２ロック爪２２の係脱回動時に各々の歯形部２２ａ，１３０ａの歯の山同士がぶつかっても、第２ロック爪２２の組み付けのがたつき分ずれることにより、両方の歯が噛み合うように構成されている。即ち、このような歯形部２２ａ，１３０ａが位置決め構造及び引出方向の変位スライド力に抗する保持力を持つ構造とされている。
【００５１】
よって、このような第２ロック爪２２とロック保持部材１３０との係脱ロック機構によれば、第１用紙収容部１００に引出方向のがたつきがあってもがたつきが極力少ない状態で位置決めされ、かつ、引出方向に変位スライド力が作用してもそのスライド力に抗する保持力を持つこととなる。結果として、第１用紙収容部１００を常に装置本体の所定位置に位置決め保持させることができる。これは、前述した横レジスト調整により第１用紙収容部１００の停止位置を前後方向（引出方向）にずらしたことにより第１用紙収容部１００に生じ得る前後方向のがたつきや変位スライド力があっても、そのがたつきを極力小さくし得るとともに変位スライド力に抗し得ることとなる。
【００５２】
ここに、第２ロック爪２２とロック保持部材１３０との少なくとも一方、本実施の形態では、ロック保持部材１３０がねじ等の締結部材１３１により第１用紙収容部１００の底面上に着脱自在に取り付けられている。１３２はロック保持部材１３０を位置決めするために第１用紙収容部１００に形成された位置決め突起である。
【００５３】
よって、経時劣化等、何らかの原因により、ロック保持部材１３０の機能が維持できなくなった場合には、締結部材１３１を緩めてロック保持部材１３０を交換することにより簡単に対処することができる。
【００５４】
また、本実施の形態では、第２ロック爪２２とロック保持部材１３０とが共に耐衝撃性を有する強固な材料により形成されている。具体的には、ロック保持部材１３０がダイカスト、強化樹脂等により形成され、第２ロック爪２２が板金プレスにより形成されている。
【００５５】
前述したように、第１用紙収容部１００と第２用紙収容部２００とは分割可能であり、第２用紙収容部２００が単独で引出・収納し得る構成であり、この第２用紙収容部２００を再度装置本体内に収納セットする際に、第１用紙収容部１００に衝撃や振動を与えてしまう可能性がある。この際、第１用紙収容部１００は係止ロック状態にあり、噛み合っている歯形部２２ａ，１３０ａの歯にこの衝撃や振動が伝わるため、材料的に弱い方の歯がダメージを受け損傷してしまうことがある。この点、これらの歯形部２２ａ，１３０ａが耐衝撃性を有する材料により形成されているため、このような状況でも損傷することがなく、耐久性が向上する。結果的にも、ロック保持部材１３０を交換する必要性が減少し、長期にわたって第１用紙収容部１００によるシート搬送性能を維持させることができる。
【００５６】
【発明の効果】
請求項１記載の発明によれば、互いに係脱する第１用紙収容部側のロック部と装置本体側のロック部とが、引出方向に位置決めされる位置決め構造及び第１用紙収容部にかかる引出方向の変位スライド力に抗する保持力を持つ構造を有するので、装置本体に対する第１用紙収容部の位置決めが簡単な構成で確実に行える上に、第１用紙収容部側のロック部と装置本体側のロック部との少なくとも一方を着脱自在としたので、経時劣化時の部品交換を簡単に行うことができ、この部品交換によりシート搬送性能を維持させることができる。
【００５７】
請求項２記載の発明によれば、請求項１記載の給紙装置において、第１用紙収容部側のロック部と装置本体側のロック部とが共に耐衝撃性を有する材料により形成されているので、第１用紙収容部と装置本体との間のロック機構の耐久性が向上し、経時劣化、損傷等による部品交換の可能性を減らすことができ、長期にわたってシート搬送性能を維持させることができる。
【００５８】
請求項３記載の発明の画像形成装置によれば、請求項１又は２記載の給紙装置を備えているので、シート搬送性能が長期にわたって安定した画像形成装置を提供することができる。
【図面の簡単な説明】
【図１】本発明の一実施の形態の給紙装置を備えた複写機を示す概略構成図である。
【図２】その給紙装置を示す概略正面図である。
【図３】その給紙装置を示す概略平面図である。
【図４】ロック爪駆動装置を示す斜視図である。
【図５】第１用紙収容部及び第２用紙収容部の外形を部分的に示す概略斜視図である。
【図６】横レジスト調整機構を示す分解斜視図である。
【図７】第２ロック爪側の構成を示し、（ａ）は平面図、（ｂ）は縦断正面図である。
【図８】第１ロック爪側の係止状態を示す斜視図である。
【符号の説明】
１００      第１用紙収容部
２００      第２用紙収容部
３００      給紙手段
２０，２２，１０７，１３０      ロック機構
２２ａ      装置本体側のロック部
１３０ａ    第１用紙収容部側のロック部
２０３，２０５      用紙移送手段
【図１】
0003838859.tif 000002
【図２】
0003838859.tif 000003
【図３】
0003838859.tif 000004
【図４】
0003838859.tif 000005
【図５】
0003838859.tif 000006
【図６】
0003838859.tif 000007
【図７】
0003838859.tif 000008
【図８】
0003838859.tif 000009